(57)【要約】【課題】スケジュールの入力に関して、時間と、場所、部屋、椅子・テーブルなどの器具等の入力項目との双方の入力を容易に行うこと。【解決手段】一方の軸が所定の単位時間ごとに区切られ、かつ他方の軸が入力項目ごとに区切られたセル群と、このセル群上の任意の２セルを指定させるためのポインティングデバイス４と、このポインティングデバイス４により指定された第１のセルに対応する時間および入力項目を取得し、それぞれ開始時間および第１の入力項目とするとともに、このポインティングデバイス４により指定された第２のセルに対応する時間および入力項目を取得し、それぞれ終了時間および第２の入力項目とし、さらに第１のセルおよび第２のセルの間のセルに対応する入力項目を取得し、第１の入力項目および第２の入力項目を含めた入力項目群とし、開始時間、終了時間および入力項目群を入力データとする入力処理手段１０とを有する。【選択図】図２
2007316953.tif 000002
【特許請求の範囲】
【請求項１】
一方の軸が所定の単位時間ごとに区切られ、かつ他方の軸が入力項目ごとに区切られたセル群と、
このセル群上の任意の２セルを指定させるためのポインティングデバイスと、
このポインティングデバイスにより指定された第１のセルに対応する時間および入力項目を取得し、それぞれ開始時間および第１の入力項目とするとともに、このポインティングデバイスにより指定された第２のセルに対応する時間および入力項目を取得し、それぞれ終了時間および第２の入力項目とし、さらに前記第１のセルおよび第２のセルの間のセルに対応する入力項目を取得し、前記第１の入力項目および第２の入力項目を含めた入力項目群とし、前記開始時間、終了時間および入力項目群を入力データとする入力処理手段と
を有するスケジュール入力装置。
【請求項２】
前記セル群は、ピクセル座標上に構成されたものであり、
前記入力処理手段は、前記ポインティングデバイスにより入力されたピクセル座標から対応するセルを算出するものである
請求項１記載のスケジュール入力装置。
【請求項３】
ポインティングデバイスが接続されたコンピュータを、
一方の軸が所定の単位時間ごとに区切られ、かつ他方の軸が入力項目ごとに区切られたセル群のうち前記ポインティングデバイスにより指定された第１のセルに対応する時間および入力項目を取得し、それぞれ開始時間および第１の入力項目とするとともに、前記セル群のうち前記ポインティングデバイスにより指定された第２のセルに対応する時間および入力項目を取得し、それぞれ終了時間および第２の入力項目とし、さらに前記第１のセルおよび第２のセルの間のセルに対応する入力項目を取得し、前記第１の入力項目および第２の入力項目を含めた入力項目群とし、前記開始時間、終了時間および入力項目群を入力データとする入力処理手段と
して機能させるためのスケジュール入力プログラム。
【請求項４】
ポインティングデバイスが接続されたコンピュータにより時間および入力項目を入力するスケジュール入力方法であって、
一方の軸が所定の単位時間ごとに区切られ、かつ他方の軸が入力項目ごとに区切られたセル群のうち前記ポインティングデバイスにより指定された第１のセルに対応する時間および入力項目を取得し、それぞれ開始時間および第１の入力項目とするステップと、
前記セル群のうち前記ポインティングデバイスにより指定された第２のセルに対応する時間および入力項目を取得し、それぞれ終了時間および第２の入力項目とするステップと、
前記第１のセルおよび第２のセルの間のセルに対応する入力項目を取得し、前記第１の入力項目および第２の入力項目を含めた入力項目群とし、前記開始時間、終了時間および入力項目群を入力データとするステップと
を含むスケジュール入力方法。
【発明の詳細な説明】
【技術分野】
【０００１】
本発明は、スケジュールの入力に関して時間および入力項目の入力を行うスケジュール入力装置、スケジュール入力プログラムおよびスケジュール入力方法に関する。
【背景技術】
【０００２】
パーソナルコンピュータ上で動作するスケジュール管理ソフトウェアにおいて、スケジュールの場所や時間等を入力する場合、図５に示すように、場所５０、開始日時５１および終了日時５２等をそれぞれ個別に入力しなければならない（例えば、特許文献１および非特許文献１参照。）。また、開始日時および終了日時の入力を簡素化するものとして、開始日時から終了日時までをポインティングデバイスのドラッグにより入力可能としたものもある（例えば、非特許文献２〜４参照。）。
【０００３】
【特許文献１】特開２００５−１０８２５６号公報
【非特許文献１】“Ｏｕｔｌｏｏｋ  ２００３  ツアー：生産的なコラボレーション”，「会議ワークスペースを活用して情報を中央管理する」，[online]，２００４年３月１日，マイクロソフトコーポレーション，[平成１８年５月１６日検索]，インターネット＜ＵＲＬ：http://www.microsoft.com/japan/office/outlook/prodinfo/tour/collaborate.mspx#EWB＞
【非特許文献２】“がんすけ”，「使い方」，［online］，ｉｚｕ，［平成１８年５月１６日検索］，インターネット＜ＵＲＬ：http://www.gansuke.com/＞
【非特許文献３】“ビジネススケジューラ”，「予定表」，［online］，三菱電機インフォメーションシステムズ株式会社，［平成１８年５月１６日検索］，インターネット＜http://www.mworld.jp/jp/catalog/r1/index1.html＞
【非特許文献４】“スケジュール管理ソフト”，「機能紹介」，［online］，留ミックス・インターナショナル株式会社，［平成１８年５月１６日検索］，インターネット＜http://www.mworld.jp/jp/catalog/r1/index1.html＞
【発明の開示】
【発明が解決しようとする課題】
【０００４】
前者の場合、１日数回程度の入力であれば良いが、１日数十回や数百回程度の入力を行うような場合、かなりの労力を必要とし、作業が億劫である。また、後者の場合、開始日時および終了日時の入力は簡素化されるものの、場所については別の入力デバイスを用いて別途入力する必要があり、作業は面倒である。
【０００５】
そこで、本発明においては、スケジュールの入力に関して、時間と、場所、部屋、椅子・テーブルなどの器具等の入力項目との双方の入力を容易に行うことが可能なスケジュール入力装置、スケジュール入力プログラムおよびスケジュール入力方法を提供することを目的とする。
【課題を解決するための手段】
【０００６】
本発明のスケジュール入力装置は、一方の軸が所定の単位時間ごとに区切られ、かつ他方の軸が入力項目ごとに区切られたセル群と、このセル群上の任意の２セルを指定させるためのポインティングデバイスと、このポインティングデバイスにより指定された第１のセルに対応する時間および入力項目を取得し、それぞれ開始時間および第１の入力項目とするとともに、このポインティングデバイスにより指定された第２のセルに対応する時間および入力項目を取得し、それぞれ終了時間および第２の入力項目とし、さらに第１のセルおよび第２のセルの間のセルに対応する入力項目を取得し、第１の入力項目および第２の入力項目を含めた入力項目群とし、開始時間、終了時間および入力項目群を入力データとする入力処理手段とを有するものである。なお、本発明において“時間”とは、１日の中での時刻単位の時間の他、日単位、年単位等を含むものとする。
【０００７】
本発明のスケジュール入力装置によれば、一方の軸が所定の単位時間ごとに区切られ、かつ他方の軸が入力項目ごとに区切られたセル群と、このセル群上の第１のセルおよび第２のセルの任意の２セルをポインティングデバイスにより指定すれば、この第１のセルおよび第２のセルにそれぞれ対応する時間から開始時間および終了時間が取得されるとともに、第１のセルおよび第２のセルのそれぞれに対応する入力項目と、第１のセルおよび第２のセルの間のセルに対応する入力項目とが入力項目群として取得され、入力データとして入力される。
【０００８】
また、セル群が、ピクセル座標上に構成されたものである場合には、入力処理手段は、ポインティングデバイスにより入力されたピクセル座標から対応するセルを算出する構成とすることができる。これにより、ピクセル座標上の任意の２点をポインティングデバイスにより指定するだけで、それぞれのピクセル座標に対応するセル群に基づいて、開始時間、終了時間および入力項目群が入力データとして入力される。
【０００９】
本発明のスケジュール入力プログラムは、ポインティングデバイスが接続されたコンピュータを、一方の軸が所定の単位時間ごとに区切られ、かつ他方の軸が入力項目ごとに区切られたセル群のうちポインティングデバイスにより指定された第１のセルに対応する時間および入力項目を取得し、それぞれ開始時間および第１の入力項目とするとともに、セル群のうちポインティングデバイスにより指定された第２のセルに対応する時間および入力項目を取得し、それぞれ終了時間および第２の入力項目とし、さらに第１のセルおよび第２のセルの間のセルに対応する入力項目を取得し、第１の入力項目および第２の入力項目を含めた入力項目群とし、開始時間、終了時間および入力項目群を入力データとする入力処理手段として機能させるためのものである。このスケジュール入力プログラムをポインティングデバイスが接続されたコンピュータ上で実行すれば、上記本発明のスケジュール入力装置として機能させることができる。
【００１０】
本発明のスケジュール入力方法は、ポインティングデバイスが接続されたコンピュータにより時間および入力項目を入力するスケジュール入力方法であって、一方の軸が所定の単位時間ごとに区切られ、かつ他方の軸が入力項目ごとに区切られたセル群のうちポインティングデバイスにより指定された第１のセルに対応する時間および入力項目を取得し、それぞれ開始時間および第１の入力項目とするステップと、セル群のうちポインティングデバイスにより指定された第２のセルに対応する時間および入力項目を取得し、それぞれ終了時間および第２の入力項目とするステップと、第１のセルおよび第２のセルの間のセルに対応する入力項目を取得し、第１の入力項目および第２の入力項目を含めた入力項目群とし、開始時間、終了時間および入力項目群を入力データとするステップとを含むものである。
【００１１】
本発明のスケジュール入力方法によれば、一方の軸が所定の単位時間ごとに区切られ、かつ他方の軸が入力項目ごとに区切られたセル群と、このセル群上の第１のセルおよび第２のセルの任意の２セルをコンピュータに接続されたポインティングデバイスにより指定すれば、この第１のセルおよび第２のセルにそれぞれ対応する時間から開始時間および終了時間が取得されるとともに、第１のセルおよび第２のセルのそれぞれに対応する入力項目と、第１のセルおよび第２のセルの間のセルに対応する入力項目とが入力項目群として取得され、入力データとしてコンピュータに入力される。
【発明の効果】
【００１２】
本発明によれば、一方の軸が所定の単位時間ごとに区切られ、かつ他方の軸が入力項目ごとに区切られたセル群と、このセル群上の第１のセルおよび第２のセルの任意の２セルをポインティングデバイスにより指定するだけで、開始時間、終了時間および入力項目群とが入力データとして入力されるので、時間と入力項目との双方の入力を容易に行うことが可能となる。
【発明を実施するための最良の形態】
【００１３】
図１は本発明の実施の形態におけるスケジュール入力装置の概略構成図、図２は図１のスケジュール入力装置のブロック図である。
図１において、本発明の実施の形態におけるスケジュール入力装置は、コンピュータ１、表示装置としてのディスプレイ２、入力装置としてのキーボード３およびポインティングデバイス４等から構成される。
【００１４】
コンピュータ１は、図２に示すように、キーボード３やポインティングデバイス４等の操作に基づいて各種データの入力処理を行う入力処理手段１０、入力処理手段１０により入力された内容に基づいて各種演算処理を行う演算処理手段１１、入力処理手段１０により入力されたデータや演算処理手段１１により演算されたデータ等を記憶する記憶手段１２、演算処理手段１１により処理された結果をディスプレイ２に表示する表示処理手段１３等を有する。
【００１５】
なお、このコンピュータ１上では、本実施形態におけるスケジュール入力プログラムを含むスケジュール管理プログラムが実行される。スケジュール入力プログラムは、入力処理手段１０に後述の処理を行わせるためのものである。スケジュール管理プログラムは、演算処理手段１１によりスケジュール管理のための各種処理を行わせるためのものである。
【００１６】
入力処理手段１０は、図３に示すように、表示処理手段１３によりディスプレイ３に表示するセル群２０上の任意の２セルがポインティングデバイス４により指定された際に、この指定された第１のセルＡおよび第２のセルＢの２セルの位置に基づいて入力データを生成するものである。ここで、セル群２０は、一方の軸（Ｘ軸）が所定の単位時間ごとに区切られ、かつ他方の軸（Ｙ軸）が場所、部屋、椅子・テーブルなどの機器等の入力項目ごとに区切られたものである。なお、セル群２０が、ディスプレイ２上に表示されるピクセル座標上に構成されたものである場合、入力処理手段１０は、ポインティングデバイス４により入力されたピクセル座標から対応するセルの位置を算出する。
【００１７】
図３の例について説明すると、入力処理手段１０は、まず、ポインティングデバイス４により指定された第１のセルＡに対応する時間として“１１時”および入力項目として“場所３”を取得し、それぞれ開始時間および第１の入力項目とする。次に、ポインティングデバイス４により指定された第２のセルＢに対応する時間として“１６時”および入力項目として“場所５”を取得し、それぞれ終了時間および第２の入力項目とする。さらに、入力処理手段１０は、第１のセルＡおよび第２のセルＢの間のセルに対応する入力項目としての“場所４”を取得し、第１の入力項目“場所３”および第２の入力項目“場所５”を含めた入力項目群“場所３，場所４，場所５”とし、開始時間“１１時”、終了時間“１６時”および入力項目群“場所３，場所４，場所５”を入力データとする。
【００１８】
このように、本実施形態におけるスケジュール入力装置によれば、一方の軸が所定の単位時間ごとに区切られ、かつ他方の軸が入力項目ごとに区切られたセル群２０と、このセル群２０上の第１のセルＡおよび第２のセルＢの任意の２セルをポインティングデバイス４により指定するだけで、開始時間、終了時間および入力項目群とが入力データとして入力されるので、時間と入力項目との双方の入力を容易に行うことが可能である。
【００１９】
次に、図４の画面遷移図に基づいて、さらに具体的な例を説明する。
図４に示す例では、縦軸（Ｘ軸）が所定時間“１０分”ごとに区切られ、かつ横軸（Ｙ軸）が入力項目“チェアー（椅子）１，チェアー２，チェアー３”ごとに区切られたセル群３０上の任意の２セルを、ポインティングデバイス４により指定し、開始時間から終了時間までのチェアーの使用を予定するものである。
【００２０】
まず、図４（ａ）に示すように、ポインティングデバイス４を操作してカーソル３１を“チェアー２”と“１０：００”の交点付近に配置し、ポインティングデバイス４のボタンを押下（クリック）する。そして、同図（ｂ）に示すように、ポインティングデバイス４のボタンを押下したままカーソル３１を移動（ドラッグ）させ、同図（ｃ）に示すように、“チェアー３”と“１１：００”の交点付近でボタンを放す。
【００２１】
これにより、入力処理手段１０は、第１のセル（“チェアー２”，“１０：００”）および第２のセル（“チェアー３”，“１１：００”）の間のセルに対応する入力項目（但し、本例では存在しない。）を取得して、第１の入力項目“チェアー２”および第２の入力項目“チェアー３”を含めた入力項目群“チェアー２、チェアー３”とし、開始時間“１０：００”、終了時間“１１：００”とともに入力データとする。
【００２２】
これにより、図４（ｄ）に示すように、入力項目“チェアー２”および“チェアー３”について、開始時間“１０：００”から終了時間“１１：００”までが入力される。さらに、この第１のセルから第２のセルまでの間のセルにおいて件名“特許太郎”をキーボード３により入力すると、入力項目“チェアー２”および“チェアー３”について、開始時間“１０：００”から終了時間“１１：００”まで、“特許太郎”の使用予定が入力される。
【００２３】
以上のように、本実施形態におけるスケジュール入力装置によれば、ポインティングデバイス４による１回のボタン押下、移動、ボタン開放の一連の操作によって、開始時間から終了時間までの時間のみならず、チェアーのような場所、部屋、椅子・テーブルなどの器具等の入力項目までもが入力される。すなわち、スケジュールの入力に関して、時間と、場所、部屋、椅子・テーブルなどの器具等の入力項目との双方の入力を容易に行うことが可能である。
【産業上の利用可能性】
【００２４】
本発明は、スケジュールの入力に関して、時間と、場所、部屋、椅子・テーブルなどの器具等の入力項目との双方の入力を行うスケジュール入力装置、スケジュール入力プログラムおよびスケジュール入力方法として有用である。
【図面の簡単な説明】
【００２５】
【図１】本発明の実施の形態におけるスケジュール入力装置の概略構成図である。
【図２】図１のスケジュール入力装置のブロック図である。
【図３】セル群の構成を示す図である。
【図４】スケジュール入力の画面遷移図である。
【図５】従来のスケジュール入力の例を示す図である。
【符号の説明】
【００２６】
１  コンピュータ
２  ディスプレイ
３  キーボード
４  ポインティングデバイス
１０  入力処理手段
１１  演算処理手段
１２  記憶手段
１３  表示処理手段
【図１】
2007316953.tif 000003
【図２】
2007316953.tif 000004
【図３】
2007316953.tif 000005
【図４】
2007316953.tif 000006
【図５】
2007316953.tif 000007